(57)【要約】      （修正有）【課題】使用者の身体に十分フィットさせることにより、股間覆い部材への密着性を向上させ、この股間覆い部材から排泄物の漏れを抑えた介護用オムツを提供する。【解決手段】２〜５ｍｍ厚の屈曲性を有するゴム板からなって、開口部が内側に形成された外側が瓢箪形状の股間覆い部材１１と、開口部の下側に装着され、排泄物受け部１８と排泄物受け部１８に溜まった排泄物を外部に吸引する吸引口１９を有する排泄物処理構造体１２と、１〜５ｍｍ厚の屈曲性を有するゴム板からなって、排泄物処理構造体１２が装着された部分を除く開口部を密閉状態で覆うカバー部材２０と、１５〜２０ｍｍ厚の弾力性を有するゴム板からなって、股間覆い部材１１に、開口部及び股間覆い部材１１の外側縁部２３とは隙間を有して設けられた断面矩形のシール部材２４と、シール部材２４の内側及び外側に接合して設けられた第１、第２の補強部材２６とを有する。【選択図】図１
0003208677.tif 000002
【実用新案登録請求の範囲】
【請求項１】
２〜５ｍｍ厚の屈曲性を有するゴム板からなって、下部に形成された円形の第１の開口領域、上部に形成された半円形の第２の開口領域、及び該第１、第２の開口領域を円滑に連結する第３の開口領域によって開口部が内側に形成された外側が瓢箪形状の股間覆い部材と、
前記第３の開口領域の下部及び前記第１の開口領域に装着され、排泄物受け部と該排泄物受け部に溜まった排泄物を外部に吸引する吸引口を有する排泄物処理構造体と、
１〜５ｍｍ厚の屈曲性を有するゴム板からなって、前記排泄物処理構造体が装着された部分を除く前記開口部を密閉状態で覆うカバー部材と、
１５〜２０ｍｍ厚の弾力性を有するゴム板からなって、前記股間覆い部材に前記開口部及び該股間覆い部材の外側縁部とは隙間を有して設けられた断面矩形のシール部材と、
前記シール部材の内側及び外側に接合して設けられた第１、第２の補強部材とを有することを特徴とする介護用オムツ。
【請求項２】
請求項１記載の介護用オムツにおいて、前記股間覆い部材の上部及び下部には、該介護用オムツの使用時に装着する紐又はバンドを保持する保持手段が設けられていることを特徴とする介護用オムツ。
【請求項３】
請求項１又は２記載の介護用オムツにおいて、前記股間覆い部材、前記カバー部材、前記シール部材及び前記第１、第２の補強部材は、平均気泡径が０．０５〜１ｍｍで、気泡率が６０〜９５％の独立気泡を有するクロロプレンゴムからなることを特徴とする介護用オムツ。
【請求項４】
請求項１〜３のいずれか１項に記載の介護用オムツにおいて、前記排泄物処理構造体は、前記吸引口の他、温水を噴出する噴水口と、温風を吹き出す温風口とを有することを特徴とする介護用オムツ。
【請求項５】
請求項１〜４のいずれか１項に記載の介護用オムツにおいて、前記第２の開口領域の両側にある前記股間覆い部材を幅方向に延長して、腹の周囲を覆う補助腹覆い部を形成したことを特徴とする介護用オムツ。
【考案の詳細な説明】
【技術分野】
【０００１】
本考案は、病院等における歩行不能な患者又は寝たきりの老人（以下、使用者という）に好適に使用できる介護用オムツに関する。
【背景技術】
【０００２】
近年、排泄時の介護を要する者に用いられる各種の排泄物処理システムが提案されている。この種の排泄物処理システムとしては、例えば、使用者の股間にあてがわれる収容カップを有する介護用オムツと、ホースを介して収容カップに接続され、かつ収容カップ内部の排泄物を吸引する排泄物処理装置と、使用者が横たわる介護用マットとを備え、介護用マットに使用者が横たわった姿勢で排泄を行えるようにしたものが知られている（例えば、特許文献１、２参照）
【０００３】
この種の介護用オムツでは、中央に収容カップを有する股間覆い部材の周囲を縁取るように、伸縮性を有する襞状の漏れ防止部材を備え、股間覆い部材内の排泄物などが外部に漏れることを防止していた。そして、この介護用オムツは、使用者が横たわった状態で装着を行えるように、一般的なショートパンツ（ショーツ）の両腰脇付近を大腿部方向に裂いて、腹当て部と背当て部とを形成するとともに、これら腹当て部と背当て部の股間周辺をくり抜き、このくり抜いた箇所に収容カップを取り付ける構成となっている。しかしながら、この構成では、腹当て部と背当て部とが連結されていることにより、漏れ防止部材の伸縮が規制されるため、この漏れ防止部材を使用者の身体に十分フィットさせることが難しかった。このため、使用者が動くと、漏れ防止部材と使用者の身体との隙間から排泄物の漏れが生じることがあった。
【０００４】
また、特許文献２に示す介護用オムツ６０は、図６、図７に示すように、臍下付近を覆う腹当て部材６１と、臀部を覆う背当て部材６２と、腹当て部材６１及び背当て部材６２に連結し、中央には開口６３が設けられた股間覆い部材６４と、股間覆い部材６４の開口６３に装着され使用者の排泄物を収容する収容構造体６５とを有している。そして、股間覆い部材６４の開口６３には、収納構造体６５を密閉するカバー部材７１を有している。股間覆い部材６４の周囲に形成された鍔部６６に帯状の第１の外面材６７を貼り付け、その上に上角部を丸くした断面四角形のクッション材６８を配置し、更にその上を第２の外面材６９で覆って排泄物が外部に漏れるのを防止する漏れ防止部材を形成している。
【先行技術文献】
【特許文献】
【０００５】
【特許文献１】特開２００２−１５３４９８号公報
【特許文献２】特開２００９−０３９４０５号公報
【考案の概要】
【考案が解決しようとする課題】
【０００６】
特許文献２では、使用者の皮膚と第２の外面材６９が直接接触して、排泄物が外部に漏れるのを防止しているが、第２の外面材６９と皮膚との接触部分の内側にはクサビ状の隙間７０が形成され、この隙間７０に排泄物の一部が侵入し、洗浄できないで残ることがあった。また、この残った排泄物は使用者の動きに応じて内部に侵入し、場合によっては使用者の皮膚に炎症を起こす場合があった。
【０００７】
本考案は、上記事情に鑑みてなされたものであり、使用者の身体に十分フィットさせることにより、股間覆い部材の股間への密着性を向上させ、この股間覆い部材からの排泄物の漏れを抑え、更に股間覆い部材の内側周囲に形成されるクサビ状の隙間を無くした介護用オムツを提供することを目的とする。
【課題を解決するための手段】
【０００８】
前記目的に沿う本考案に係る介護用オムツは、２〜５ｍｍ厚の屈曲性を有するゴム板からなって、下部に形成された円形の第１の開口領域、上部に形成された半円形の第２の開口領域、及び該第１、第２の開口領域を円滑に連結する第３の開口領域によって開口部が内側に形成された外側が瓢箪形状の股間覆い部材と、
前記第３の開口領域の下部及び前記第１の開口領域に装着され、排泄物受け部と該排泄物受け部に溜まった排泄物を外部に吸引する吸引口を有する排泄物処理構造体と、
１〜５ｍｍ厚の屈曲性を有するゴム板からなって、前記排泄物処理構造体が装着された部分を除く前記開口部を密閉状態で覆うカバー部材と、
１５〜２０ｍｍ厚の弾力性を有するゴム板からなって、前記股間覆い部材に前記開口部及び該股間覆い部材の外側縁部とは隙間を有して設けられた断面矩形のシール部材と、
前記シール部材の内側及び外側に接合して設けられた第１、第２の補強部材とを有する。
【０００９】
本考案に係る介護用オムツにおいて、前記股間覆い部材の上部及び下部（特に、裏側）には、該介護用オムツの使用時に装着する紐又はバンドを保持する保持手段が設けられているのが好ましい。
【００１０】
本考案に係る介護用オムツにおいて、前記股間覆い部材、前記カバー部材、前記シール部材及び前記第１、第２の補強部材は、平均気泡径が０．０５〜１ｍｍで、気泡率が６０〜９５％の独立気泡を有するクロロプレンゴムからなるのが好ましいが、他の独立気泡の合成ゴム又は軟質の合成樹脂材を使用することもできる。
【００１１】
本考案に係る介護用オムツにおいて、前記排泄物処理構造体は、前記吸引口の他、温水を噴出する噴水口と、温風を吹き出す温風口とを有するのが好ましい。
そして、本考案に係る介護用オムツにおいて、前記第２の開口領域の両側にある前記股間覆い部材を幅方向に延長して、腹の周囲を覆う補助腹覆い部を形成するのが好ましい。
【考案の効果】
【００１２】
本考案に係る介護用オムツは、２〜５ｍｍ厚の屈曲性を有するゴム板からなって、下部に形成された円形の第１の開口領域、上部に形成された半円形の第２の開口領域、及び第１、第２の開口領域を円滑に連結する第３の開口領域によって開口部が内側に形成された外側が瓢箪形状の股間覆い部材と、第３の開口領域の下部及び第１の開口領域に装着され、排泄物受け部と排泄物受け部に溜まった排泄物を外部に吸引する吸引口を有する排泄物処理構造体と、１〜５ｍｍ厚の屈曲性を有するゴム板からなって、排泄物処理構造体が装着された部分を除く開口部を密閉状態で覆うカバー部材と、１５〜２０ｍｍ厚の弾力性を有するゴム板からなって、股間覆い部材に開口部及び股間覆い部材の外側縁部とは隙間を有して設けられた断面矩形のシール部材と、シール部材の内側及び外側に接合して設けられた第１、第２の補強部材とを有するので、使用者の排泄物を排泄物処理構造体で受けて外部に吸引排除できる。
【００１３】
この場合、股間覆い部材で排泄物処理構造体を所定位置に保持し、更にカバー部材で股間前側を覆い、更にシール部材で、股間覆い部材の周囲と使用者の身体とをシールするので、排泄物の漏れがない。
特に、シール部材に厚が１５〜２０ｍｍのゴム板を使用して断面矩形としているので、使用者の身体とシール部材との間にクサビ状の隙間が形成されず、排泄物が残ることもない。
【００１４】
本考案に係る介護用オムツにおいて、股間覆い部材の上部及び下部（特に、裏側）に、介護用オムツの使用時に装着する紐又はバンドを保持する保持手段が設けられている場合は、簡単に介護用オムツを使用者に装着できる。この場合、バンドは幅が狭いのが好ましいが、バンドとして幅広のカバー状物を使用してもよい。
【００１５】
また、本考案に係る介護用オムツにおいて、股間覆い部材、カバー部材、シール部材及び第１、第２の補強部材が、平均気泡径が０．０５〜１ｍｍで、気泡率が６０〜９５％の独立気泡を有するクロロプレンゴムからなる場合には、安価に介護用オムツを製造できる。
【００１６】
そして、本考案に係る介護用オムツにおいて、排泄物処理構造体が、吸引口の他、温水を噴出する噴水口と、温風を吹き出す温風口とを有する場合は、排泄後、使用者の股間を温水で洗い、温風で乾かすことができる。
そして、本考案に係る介護用オムツにおいて、第２の開口領域の両側にある股間覆い部材を幅方向に延長して、腹の周囲を覆う補助腹覆い部を形成することによって、使用者の腹の部分を柔らかく保持できる。
【図面の簡単な説明】
【００１７】
【図１】本考案の一実施の形態に係る介護用オムツの斜視図である。
【図２】同介護用オムツの正面図である。
【図３】同介護用オムツの使用状態を示す斜視図である。
【図４】同介護用オムツの股間覆い部材及びそれに取付けられたカバー部材の正面図である。
【図５】図２におけるＡ−Ａ’断面図である。
【図６】従来の介護用オムツの説明図である。
【図７】図６におけるＢ−Ｂ’断面図である。
【考案を実施するための形態】
【００１８】
続いて、添付した図面を参照しつつ、本考案を具体化した実施の形態につき説明し、本考案の理解に供する。
図１〜図４に示すように、本考案の一実施の形態に係る介護用オムツ１０は、２〜５ｍｍ厚の屈曲性を有するゴム板からなる股間覆い部材１１と、股間覆い部材１１に取り付けられる硬質合成樹脂、セラミック（磁器）又は金属等からなる排泄物処理構造体１２とを有している。以下これらについて詳しく説明する。
【００１９】
ここで、股間覆い部材１１を構成するゴム板（ゴムポリマー）は、独立気泡を有するニトリルーブタジエンゴム、スチレンブタジエンゴム、ブチルゴム、クロロプレンゴム等がある。独立気泡の気泡率は６０〜９５％、平均気泡径が０．０５〜１ｍｍであるのが好ましいがこの数値に限定されるものではない。なお、股間覆い部材１１の内側はゴム素材を露出させておくのが、後の洗浄等で便利であるが、外側は布地（ジャージ）を貼り付けるのがよい。
【００２０】
図４に示すように、股間覆い部材１１は、下部に設けられた円形の第１の開口領域１３、上部に設けられた半円形の第２の開口領域１４、及び第１、第２の開口領域１３、１４を円滑に連結する第３の開口領域１５によって開口部１６が内側に形成されて、外側が瓢箪形状となっている。なお、開口部１６も瓢箪形状となっている。
【００２１】
第１の開口領域１３及び第３の開口領域１５の下部に、排泄物受け部１８と排泄物受け部１８に溜まった排泄物を外部に吸引する吸引口１９を有する排泄物処理構造体１２が装着されている。そして、１〜５ｍｍ厚の屈曲性を有するゴム板からなって、排泄物処理構造体１２が装着された部分を除く開口部１６を閉塞状態で覆うカバー部材２０が設けられている。カバー部材２０は前記したゴム板と同一の材質からなって、開口部１６の中間部の間隔ａの１／２より１０〜５０％長い、幅ｂ（即ち０．５５ａ〜０．７５ａ）のゴム板２０ａとゴム板２０ｂが中央の接合線２１で完全接合されて、開口部１６の幅方向中央に外側に向いた膨らみ２１ａを有している。なお、排泄物処理構造体１２には、排出物受け部１８及び吸引口１９の他、温水の吹き出し口（噴水口）２２、及び図示しない温風吹き出し口（温風口）が設けられている。なお、排泄物処理構造体１２とカバー部材２０の間には隙間がないように構成され、排出物が漏れないようになっている。
【００２２】
図４の斜線、図５に示すように、介護用オムツ１０は、１５〜２０ｍｍ厚の弾力性を有するゴム板からなって、開口部１６及び股間覆い部材１１の外側縁部２３とは隙間を有して股間覆い部材１１に設けられた断面矩形のシール部材２４と、シール部材２４の内側及び外側に接合して設けられた第１、第２の補強部材２５、２６を有する。第１、第２の補強部材２５、２６は、シール部材２４及び股間覆い部材１１の材料と同じく、独立気泡のゴム板からなって、これら同士が強固に接合されている。
ここで、シール部材２４の上端は平面となって、両側に角部２４ａ、２４ｂを有するので、使用者の肌に密着し、シール部材２４と肌との間にクサビ状の隙間ができず、排泄物やその他の液体が溜まることがない。
【００２３】
第１、第２の補強部材２５、２６の高さはシール部材２４の高さより十分低くなって、使用者の皮膚に第１、第２の補強部材２５、２６の上端が当たらず、十分な隙間を有する高さとなっている。なお、シール部材２４の両側に設けられている第１、第２の補強部材２５、２６は、図３には記載されていない。
【００２４】
図１〜図４に示すように、シール部材２４の外側で、股間覆い部材１１の上下には、保持手段の一例である左右対となる紐通し部２８、２９と３０、３１及び紐通し部３０、３１の中間位置に設けられた紐通し部３１ａが設けられ、この部分に紐（又はバンド）３２、３３、３３ａを挿通して、紐３２、３３、３３ａを使用者の腹中央及び腹下部に巻いて、この介護用オムツ１０を使用者に固定できる構造となっている。なお、紐３３、３３ａの端部は紐通し部３０、３１で固定されている。紐通し部３０、３１は必須の要件ではなく、紐３３、３３ａの端部が固定されているのみでもよい。
【００２５】
この介護用オムツ１０の使用にあっては、図３に示すように、使用者３５の股間に、排泄物処理構造体１２の設けられた股間覆い部材１１を被せる。この場合、排泄物処理構造体１２の吸引口１９は、例えば、特開２００９−３９４０５号公報の図１記載のように内部に真空ポンプを有する排出物処理装置に接続し、必要に応じて温水、温風を排泄物処理構造体１２に送るようにする。
介護用オムツ１０は使用者３５に紐３２、３３、３３ａを用いて固定される。
【００２６】
以上の実施の形態において、紐の代わりに、介護用オムツ１０の上下に覆い布を設け、この覆い布を用いて介護用オムツ１０を使用者に固定するものであってもよい。
また、図１〜図４に示すように、第２の開口領域１３の両側にある股間覆い部材１１を幅方向に延長して、腹の周囲を覆う補助腹覆い部３７、３８を形成することもできる。そして、この補助腹覆い部３７、３８に紐状物を取付け、補助腹覆い部３７、３８を使用者の腹に固定することもできる。なお、この補助覆い部材３７の右端から補助覆い部材３８の左端までの距離は４５〜６５ｃｍ程度であるのが好ましい。
また、図４において、股間覆い部材１１の下端Ｐはシール部材２４又は第２の補強部材２６の下端Ｑから、２５〜３５ｃｍの範囲にあるのが好ましい。
【符号の説明】
【００２７】
１０：介護用オムツ、１１：股間覆い部材、１２：排泄物処理構造体、１３：第１の開口領域、１４：第２の開口領域、１５：第３の開口領域、１６：開口部、１８：排泄物受け部、１９：吸引口、２０：カバー部材、２０ａ、２０ｂ：ゴム板、２１：接合線、２１ａ：膨らみ、２２：温水の吹き出し口、２３：外側縁部、２４：シール部材、２４ａ、２４ｂ：角部、２５：第１の補強部材、２６：第２の補強部材、２８〜３１、３１ａ：紐通し部、３２、３３、３３ａ：紐、３５：使用者、３７、３８：補助腹覆い部
【図１】
0003208677.tif 000003
【図２】
0003208677.tif 000004
【図３】
0003208677.tif 000005
【図４】
0003208677.tif 000006
【図５】
0003208677.tif 000007
【図６】
0003208677.tif 000008
【図７】
0003208677.tif 000009